(57)【要約】 【課題】  ショッピング等に際して商品等を収容するための手提げ袋であって、その手提げ紐として、把持に際して良好なるフィット性と柔軟性を有すると共に、腰が強く定形性を有しかつ軽量性を具えたものとされるようにした新規の手提げ袋の提供を図ったものである。【解決手段】  袋体１の表裏上縁寄りにループ状に取付ける手提げ紐2，2として、表面側紐状外装2ａと背面側紐状外装2ｂとの間に、例えばワリフ（商品名）のような軟質にしてかつ伸縮性を具えた材料で製した帯状芯材2ｃを挟み込み、これを熱接着、或いは縫製加工に基づき貼り合せて一本の平紐化したものを用いて成る手提げ袋。【選択図】  図１
2009106437.tif 000002
【特許請求の範囲】
【請求項１】
袋体（１）の表裏上縁寄りにループ状に取付ける手提げ紐（2，2）として、表面側紐状外装（2ａ）と背面側紐状外装（2ｂ）との間に、軟質にしてかつ伸縮性を具えた材料で製した帯状芯材（2ｃ）を挟み込み、これを熱接着、或いは縫製加工に基づき貼り合せて一本の平紐化したものを用いて成る手提げ袋。
【請求項２】
袋体（１）の表裏上縁寄りにループ状に取付ける手提げ紐（2，2）として、表面側紐状外装（2ａ）と背面側紐状外装（2ｂ）を袋状に形成すると共に、その内部に軟質にしてかつ伸縮性を具えた材料で製した帯状芯材（2ｃ）を収装して一本の平紐化したものを用いて成る手提げ袋。
【請求項３】
熱溶着可能とする合成樹脂製シート材で前面側シート材（1ａ）と背面側シート材（1ｂ）とをその両側縁及び底縁で溶着して扁平の袋状を呈する袋体（１）を形成し、当該袋体の表裏上縁寄りにループ状に取付ける手提げ紐（2，2）として、熱接着可能とする合成樹脂製シート材で製した表面側紐状外装（2ａ）と背面側紐状外装（2ｂ）の間に、軟質にしてかつ伸縮性を具えた材料で製した帯状芯材（2ｃ）を挟み込むと共に熱接着に基づき一本の平紐状に一体化したものを用いて成る手提げ袋。
【請求項４】
帯状芯材（2ｃ）をワリフ（商品名）製として成る請求項１乃至請求項3の何れかに記載の手提げ袋。
【発明の詳細な説明】
【技術分野】
【０００１】
本発明はショッピング等に際して商品等を収容するための手提げ袋に関する。
【背景技術】
【０００２】
合成樹脂製シート材で形成したショッピング用袋は各種のものが存在する。  そして、従来、この種の袋に於いては袋部分に特別の構成を付加しているものは各種存在するが、手提げ用たる紐自体に対する配慮が施されたものは殆ど存在しなかった。
【０００３】
すなわち、袋体に対する手提げ紐の結合の強化を図ったもの（例えば特許文献1及び特許文献２参照）、或いは、袋体と手提げ紐とを同一材料であるポリエステル不織布で形成することにより、再生材料の利用を図ったもの（例えば特許文献２参照）が存在する。  然し乍、手提げ紐自体に補強等の特別の構成を施したものは、従来、存在しなかった。
【０００４】
一方、手提げ袋における持ち手を形成する手提げ紐であるが、これは通常平紐状を呈するものである。  そして、当該手提げ紐が強度的に弱い材料で形成した場合、重い商品を入れた際に伸びてしまったり切損してしまったりする恐れがあり、また、必要以上に強い材料で形成した場合、持ち手が硬くなり、使用者の手に食い込んで苦痛を生じさせる原因ともなり、従って、手提げ袋として比較的重要な役割を果すものであるにも係わらず、従来に於いてはこのような問題を解消するための特別の構成を施したものは殆ど存在しなかったと云うのが実情であった。
【０００５】
【特許文献１】特許公開２００６−１６２５号
【特許文献２】特許公開２００２−２６４９５２号
【特許文献３】特許公開２００１−１９０３１７号
【発明の開示】
【発明が解決しようとする課題】
【０００６】
本発明は、上述したように、強度的に弱い材料で形成した場合に生じた伸びまたは切損してしまったりするような問題、並びに、強度的に強くしたことにより持ち手が硬くなり、使用者の手に食い込んで苦痛を生じさたりするような問題を解決した、新しい構成を具えた手提げ紐で持ち手を形成したことを特徴とする新規の手提げ袋の提供を図ったものである。
【課題を解決するための手段】
【０００７】
本発明は請求項1に記載のように、袋体１の表裏上縁寄りにループ状に取付ける手提げ紐2，2として、表面側紐状外装2ａと背面側紐状外装2ｂとの間に、軟質にしてかつ伸縮性を具えた材料で製した帯状芯材2ｃを挟み込み、これを熱接着、或いは縫製加工に基づき貼り合せて一本の平紐化したものを用いて成る手提げ袋に係るものである。
【０００８】
そして、本発明は請求項２に記載のように、袋体１の表裏上縁寄りにループ状に取付ける手提げ紐2，2として、表面側紐状外装2ａと背面側紐状外装2ｂを袋状に形成すると共に、その内部に軟質にしてかつ伸縮性を具えた材料で製した製の帯状芯材2ｃを収装して一本の平紐化したものを用いて成る手提げ袋を実施の態様とする。
【０００９】
更に本発明は、請求項３に記載のように、熱溶着可能とする合成樹脂製シート材で前面側シート材（1ａ）と背面側シート材（1ｂ）とをその両側縁及び底縁で溶着して扁平の袋状を呈する袋体（１）を形成し、当該袋体の表裏上縁寄りにループ状に取付ける手提げ紐（2，2）として、熱接着可能とする合成樹脂製シート材で製した表面側紐状外装（2ａ）と背面側紐状外装（2ｂ）の間に、軟質にしてかつ伸縮性を具えた材料で製した帯状芯材（2ｃ）を挟み込むと共に熱接着に基づき一本の平紐状に一体化したものを用いて成る手提げ袋を実施の態様とするものである。
【００１０】
更に本発明は、請求項４に記載のように、帯状芯材2ｃをワリフ（商品名）製として成る請求項１乃至請求項3の何れかに記載の手提げ袋を実施の態様とするものである。
【発明の効果】
【００１１】
本発明は請求項１に記載のような構成、すなわち、袋体１の表裏上縁寄りにループ状に取付ける手提げ紐2，2として、表面側紐状外装2ａと背面側紐状外装2ｂとの間に、軟質にしてかつ伸縮性を具えた材料で製した帯状芯材2ｃを挟み込み、これを熱接着、或いは縫製加工に基づき貼り合せて一本の平紐化したものを用いるようにこあ製したから、手提げ紐は帯状芯材2ｃの存在に基づき、良好なる補強が成されることとなる。  そして、帯状芯材2ｃは軟質にしてかつ伸縮性を具えた材料で製したものであるから、手にフィットする柔軟性を有するも、腰が強く定形性を有しかつ軽量性を具えたものとされ、極めて使い勝手の良い手提げ紐を備えた手提げ袋としての利用が図られる。
【００１２】
本発明は請求項２に記載のような構成、すなわち、袋体１の表裏上縁寄りにループ状に取付ける手提げ紐2，2として、表面側紐状外装2ａと背面側紐状外装2ｂを袋状に形成すると共に、その内部に軟質にしてかつ伸縮性を具えた材料で製した帯状芯材2ｃを収装して一本の平紐化したものを用いるように構成したから、これを請求項1に記載のように一体化、すなわち三層構造とした場合に生じる完全扁平化状態ではなく、自然な膨らみをもった手提げ紐とすることができる。  そして、この場合であっても、請求項1に於いて記載の場合同様な極めて使い勝手の良い手提げ紐を備えた手提げ袋としての利用が図られる。
【００１３】
本発明は請求項３に記載のような構成、すなわち、熱溶着可能とする合成樹脂製シート材で前面側シート材（1ａ）と背面側シート材（1ｂ）とをその両側縁及び底縁で溶着して扁平の袋状を呈する袋体（１）を形成し、当該袋体の表裏上縁寄りにループ状に取付ける手提げ紐（2，2）として、熱接着可能とする合成樹脂製シート材で製した表面側紐状外装（2ａ）と背面側紐状外装（2ｂ）の間に、軟質にしてかつ伸縮性を具えた材料で製した帯状芯材（2ｃ）を挟み込むと共に熱接着に基づき一本の平紐状に一体化したものを用いるように構成することにより、熱溶着に基づく接着手段に基づく製造の容易性、迅速性を図ることができる。  そして、この場合であっても、請求項1に於いて記載の場合同様な極めて使い勝手の良い手提げ紐を備えた手提げ袋としての利用が図られる。
【００１４】
本発明は請求項４に記載のような構成、すなわち、帯状芯材2ｃをワリフ（商品名）製とすることにより、手提げ紐2，2は、ワリフの特性に基づき、手にフィットする柔軟性を有するも腰が強く定形性を有しかつ軽量性を具えたものとされ、極めて使い勝手の良い手提げ紐を備えた手提げ袋としての利用が図られる。  更に、ワリフ（商品名）製の帯状芯材2ｃに対して密着する前面側シート材1ａと背面側シート材1ｂの表面に、ワリフが具えている網目状模様が浮き出すため、滑り止め作用を奏することとなる。
【発明を実施するための最良の形態】
【００１５】
図に於いて、１は袋体であって、図示の実施例にあってはその素材を熱溶着可能とする合成樹脂製シート材で前面側シート材1ａと背面側シート材1ｂとをその両側縁及び底縁で溶着して扁平の袋状としてある。  然し乍、当該袋体１はこのような形態に限定されるものではなく、例えば、両側部にマチ部を設けると共に平坦底面部を具えた折畳み自在の袋体とするように構成してもよい。  そして、使用する素材も加工上の観点から上記のような熱溶着可能とする合成樹脂製シート材を用いることが好ましいが、これに限定されるものではなく、例えば紙材、革材等適宜なものであっても良い。  結局、本発明にあっては、袋体１自体の形状、構造等に関しての制約性は存在しない。
【００１６】
２，２は袋体１を形成する前面側シート材1ａと背面側シート材1ｂの上縁中央部にループ状に形成した手提げ紐であって、平紐状を呈するものである。  そして、本発明にあっては当該手提げ紐２の構成に技術的特徴を有するものである。すなわち、本発明に用いる手提げ紐は、後述するような三層構造とし、中心部の芯材として軟質にしてかつ伸縮性を具えた材料で製した帯状芯材を用いたことを特徴とするものである。
そして、当該帯状芯材の具体例としてはワリフ（商品名）が挙げられる。
【００１７】
なお、図示の実施例にあっては、袋体１に対する当該手提げ紐２，２の取付け手段として、熱溶着に基づき行っているが、袋体１及び後述する手提げ紐の外装材の特性によっては、逢着手段、接着材による接着手段、或いは適宜止め金具などによる取付け手段等に基づき行うように構成する場合もある。
【００１８】
ところで、前記した「ワリフ」とは、新日石プラスト社が商標を所有する商品であり、延伸したフイルムから製造した割繊網状体を縦・横方向に配列した特殊不織布で、メッシュ構造で高い通気性と強度を有している。  そして、そのメッシュ構造に基づきＡ「薄くて軽量、通気性が良い」、Ｂ「縦・横ともに高強度でバランスがよく、腰が強い」、Ｃ「目ズレがなく定形性に優れる」、Ｄ「他素材との組合せなど加工性に優れる」、Ｅ「滞水、耐薬品性に優れる」と言うような特性を備えた素材である。
【００１９】
本発明に於いては、上記した特性、特にＢ乃至Ｄの特性に着目し、手提げ紐の芯材として採用したものである。
【００２０】
図面に示す実施例において、手提げ紐２は平紐状を呈し、表面側紐状外装2ａと背面側紐状外装2ｂとの間に、上述した「ワリフ」で形成した帯状芯材2ｃを挟み込み、これを熱接着、或いは縫製加工に基づき貼り合せて一本の平紐化たものである。  然し乍、当該帯状芯材2ｃとしてはこのような「ワリフ」以外、軟質にしてかつ伸縮性を具えた材料であればその種類は問わない。
【００２１】
ところで、上記した表面側紐状外装2ａと背面側紐状外装2ｂの素材であるが、通常は熱接着可能とするポリエステル等合成樹脂製シート材を使用することが好ましいが、上記したワリフ製帯状芯材2ｃと合体化可能とするものであれば和紙、レーヨン紙、クラフト紙のような紙材、或いは不織布材、若しくは有孔フイルム材を用いることも可能である。
【００２２】
そして、表面側紐状外装2ａと背面側紐状外装2ｂは図示のように表裏別のものとすることなく一枚の外装を二つ折りすることにより表面側と背面側の外装を形成するように構成しても良い。
【００２３】
更に、当該外装材を袋状に形成し、その内部に所要の材料で形成した帯状芯材2ｃを収装するような構成、すなわち、外装材と帯状芯材2ｃとを接合しない状態で存在させるように構成することも可能である。
【００２４】
上記のような構成になる手提げ紐２を具えた本発明に係る手提げ袋は、外観的には従来の手提げ袋と何等変わらないが、その、手提げ紐２は軟質にしてかつ伸縮性を具えた材料で製した帯状芯材2ｃによる補強が成されているため、手にフィットする柔軟性を有するも、腰が強く定形性を有しかつ軽量性を具えたものとされ、極めて使い勝手の良い手提げ紐を備えた手提げ袋としての利用が図られる。  そして、当該帯状芯材2ｃを「ワリフ」とすることにより、当該帯状芯材2ｃに対して前面側シート材1ａと背面側シート材1ｂを密着させることにより、その表面に、ワリフが具えている網目状模様が浮き出して滑り止め作用を奏することとなる。
【図面の簡単な説明】
【００２５】
【図１】本発明に係る手提げ袋の正面図である。
【図２】図１におけるＸ−Ｘ線断面図である。
【図３】本発明に係る手提げ袋に用いる手提げ形成用紐を表した一部切欠正面図である。
【図４】同上拡大縦断面図である。
【図５】図４におけるＹ−Ｙ線部分で切断して著しく拡大して示す断面図である。
【符号の説明】
【００２６】
１  袋体
1ａ 前面側シート材
1ｂ 背面側シート材 
２  手提げ紐
2ａ 表面側紐状外装
2ｂ 背面側紐状外装
2ｃ 帯状芯材
【図１】
2009106437.tif 000003
【図２】
2009106437.tif 000004
【図３】
2009106437.tif 000005
【図４】
2009106437.tif 000006
【図５】
2009106437.tif 000007